(57)【要約】【課題】被検者に合わせて判読させる視標の種類を容易に変更でき、全体的な視標の配置が覚えやすい視力検査装置の操作装置および視力検査装置を提供する。【解決手段】本発明に係る視力検査装置の操作装置は、視力検査装置に表示させる複数の視標がすべて記載された視標シートを装着可能な装着面と、装着面に設けられ、視標シートを介して操作者が操作可能な複数のスイッチと、各視標シートを識別するための識別部とを具備することを特徴とする。【選択図】図１
2016067843.tif 000002
【特許請求の範囲】
【請求項１】
視力検査装置の操作装置であって、
視力検査装置に表示させる複数の視標がすべて記載された視標シートを装着可能な装着面と、
装着面に設けられ、前記視標シートを介して操作者が操作可能な複数のスイッチと、
前記各視標シートを識別するための識別部とを具備することを特徴とする視力検査装置の操作装置。
【請求項２】
前記識別部はフォトセンサであって、
各前記視標シートには、それぞれ異なるフォトセンサ用パターンが設けられていることを特徴とする請求項１に記載の視力検査装置の操作装置。
【請求項３】
前記視標シートは、前記装着面に対して吸着可能に設けられていることを特徴とする請求項１または請求項２に記載の視力検査装置の操作装置。
【請求項４】
視標表示部と、表示させる視標を指示する操作装置と、操作装置によって指示された視標を視標表示部に表示するように制御する制御部とを具備する視力検査装置であって、
前記操作装置は、視標表示部に表示させる複数の視標がすべて記載された視標シートを装着可能な装着面と、装着面に設けられ、視標シートを介して操作者が操作可能な複数のスイッチと、各視標シートを識別するための識別部とを具備することを特徴とする視力検査装置。
【請求項５】
前記識別部はフォトセンサであって、各前記視標シートには、それぞれ異なるフォトセンサ用パターンが設けられていることを特徴とする請求項４に記載の視力検査装置。
【請求項６】
前記視標シートは、前記装着面に対して吸着可能に設けられていることを特徴とする請求項４または請求項５に記載の視力検査装置。
【発明の詳細な説明】
【技術分野】
【０００１】
本発明は、被検者の視力を検査する視力検査装置の操作装置および視力検査装置に関する。
【背景技術】
【０００２】
視力検査装置を用いて被検者の視力を検査するとき、被検者に読み取らせる視標を特定するため、操作者は視力検査装置の操作装置を用いて操作する。遠隔操作可能な視力検査装置の操作装置が特許文献１、２に記載されている。特許文献１に記載されている視力検査装置は、視標が記載された操作装置のボタンを押して、読み取らせる視標を点灯させるものである。また、特許文献２には、複数の選択ボタンがあり、標呈示装置に呈示する視標や視力値等を表示するディスプレイが設けられている視力検査装置のリモコンが記載されている。
【先行技術文献】
【特許文献】
【０００３】
【特許文献１】特開２００４−１６６７０号公報
【特許文献２】特開２００９−７２４８７号公報
【発明の概要】
【発明が解決しようとする課題】
【０００４】
特許文献１に記載されている従来の視力検査装置は、検査用の視標が印刷された視標板を用い、特定の視標に光を照射して被検者に判読させるものである。また、操作装置には、あらかじめ検査用の視標が印刷された視標板と対応する視標の一覧表が記載され、視標のボタンを押して判読させる視標の領域を点灯させる。このような従来の視力検査装置の場合、ランドルト環だけ、ひらがなだけ、絵や文字が混在する視標板など、被検者に合わせて判読させる視標の種類を変えて検査をする場合、取り付けられた視力検査装置の視標板を交換しなければならない。さらに、操作装置にある視標の一覧表も視標板と対応するように交換する必要がある。視標板や操作装置の視標の種類を替えない場合は、判読させる視標の種類が異なる複数台の視力検査装置およびその操作装置を用意しなくてはならない。また、特許文献２に記載されている手元で操作するリモコン型の操作装置は、視標全体の配置が分かる一覧表がリモコンに表示されていない。このため、全体的な視標の配置が覚えづらく、リモコンの表示と視標表示部とを連動させ、どの視標を表示させたのかも覚えづらいので、同じ視力の同じ形状の視標を表示してしまうことがある。
【０００５】
そこで本発明は上記課題を解決するためになされたもので、その目的とするところは、被検者に合わせて判読させる視標の種類を容易に変更でき、全体的な視標の配置が覚えやすい視力検査装置の操作装置および視力検査装置を提供することにある。
【課題を解決するための手段】
【０００６】
上記の目的を達成するため、本発明の視力検査装置の操作装置は次の構成を備える。すなわち本発明は、視力検査装置の操作装置であって、視力検査装置に表示させる複数の視標がすべて記載された視標シートを装着可能な装着面と、装着面に設けられ、前記視標シートを介して操作者が操作可能な複数のスイッチと、前記各視標シートを識別するための識別部とを具備することを特徴とする。この構成によれば、視標シートを識別し、視標シートに記載された視標を視標シートを取り換えるだけで視力検査装置に表示させることができる。また、視標シートに記載された視標の配置を見ながら操作でき、全体の配置が覚えやすい。
【０００７】
また、本発明において、前記識別部はフォトセンサであって、各前記視標シートには、それぞれ異なるフォトセンサ用パターンが設けられていることが好ましい。これによれば、フォトセンサ用パターンを識別して視標シートを区別できるとともに、フォトセンサ用パターンが設けられていても視標シートの厚さに影響を与えないので、視標シートを介して操作がしやすい。
【０００８】
また、本発明において、前記視標シートは、前記装着面に対して吸着可能に設けられていることが好ましい。これによれば、操作装置が視標シートを識別しやすくなり、装着面に吸着して操作者の操作が検出されやすい。他にも、固定具を用いないで吸着して固定されるので、固定具を外す必要がなく、視標シートを取り外しやすく、装着面を水平以外にも斜めや垂直しても視標シートがずれず、操作者が操作しやすい状態に操作装置を設置できる。
【０００９】
また、本発明の視力検査装置は次の構成を備える。すなわち本発明は、視標表示部と、表示させる視標を指示する操作装置と、操作装置によって指示された視標を視標表示部に表示するように制御する制御部とを具備する視力検査装置であって、前記操作装置は、視標表示部に表示させる複数の視標がすべて記載された視標シートを装着可能な装着面と、装着面に設けられ、視標シートを介して操作者が操作可能な複数のスイッチと、各視標シートを識別するための識別部とを具備することを特徴とする。この構成によれば、視標シートを識別して視標シートに記載された視標を視標シートを取り換えるだけで視標表示部に表示させることができる。また、視標シートに記載された視標の配置を見ながら操作でき、全体の配置が覚えやすい。
【００１０】
また、本発明において、前記識別部はフォトセンサであって、各前記視標シートには、それぞれ異なるフォトセンサ用パターンが設けられていることが好ましい。これによれば、フォトセンサ用パターンが設けられていても視標シートの厚さに影響を与えないので、視標シートを介して操作がしやすい。
【００１１】
また、本発明において、前記視標シートは、前記装着面に対して吸着可能に設けられていることが好ましい。これによれば、視標シートが識別されやすくなり、装着面に吸着して操作者の操作が検出されやすい。他にも、固定具を用いないで吸着して固定されるので、固定具を外す必要がなく、視標シートを取り外しやすく、装着面を水平以外にも斜めや垂直しても視標シートがずれず、操作者が操作しやすい状態に操作装置を設置できる。
【発明の効果】
【００１２】
本発明によれば、被検者に合わせて判読させる視標の種類を容易に変更でき、全体的な視標の配置が覚えやすい視力検査装置の操作装置および視力検査装置を提供することができる。
【図面の簡単な説明】
【００１３】
【図１】視力検査装置の全体構成を示す斜視図である。
【図２】本実施形態の視力検査装置のブロック図である。
【図３】本実施形態の操作装置の平面図を示す。
【図４】本実施形態の視力検査装置に用いられる視標面の一例である。
【図５】本実施形態の視力検査装置およびその操作装置に用いられる視標シートの一例であり、（Ａ）は視標シートの表側の面、（Ｂ）は視標シートの裏側の面である。
【発明を実施するための形態】
【００１４】
以下、図面を参照して、本実施形態に係る視力検査装置１０を詳細に説明する。図１に本実施形態の視力検査装置１０の斜視図を示し、図２に本実施形態の視力検査装置１０のブロック図を示す。
【００１５】
本実施形態の視力検査装置１０は、視標表示部５０と、表示させる視標を指示する操作装置２０と、操作装置２０によって指示された視標を視標表示部５０に表示するように制御する制御部４０とを具備する。本実施形態の視力検査装置１０における視標表示部５０は、所定の配列で配置された複数の視力検査用の視標が表示される視標面５２を有している。視標面５２は、視標と視標以外の部分である背景から成る。制御部４０は、視標表示部５０に表示させる視標、背景の表示を制御するものである。また、制御部４０のある場所は特に限定されないが、制御部４０は視標表示部５０に接続し、視標表示部５０に内蔵されていてもよい。
【００１６】
本実施形態の視力検査装置１０の操作装置２０は、操作装置２０から入力される信号を制御部４０に送ることができ、制御部４０は操作装置２０から入力された信号に応じて、視標表示部５０に表示させる視標や背景を制御することができる。操作装置２０から制御部４０への通信は、有線、無線に限定されなく、赤外線通信を利用することができる。また、操作装置２０の操作者は、視力検査装置１０の視標表示部５０に表示させる複数の視標がすべて記載された視標シート２２を介して被検者に視認させる視標を指定する。本実施形態の操作装置２０は、あらかじめ装置本体に視標が記載されたボタン等を操作して視標を表示させる操作装置とは異なり、視標シート２２を用い、操作装置２０から着脱可能であるので操作装置２０と視標シートは一体となっていない。
【００１７】
図３に本実施形態の操作装置２０の平面図を示す。図４に本実施形態の操作装置２０における装着面２４と識別部２６の一例を示す。図５に操作装置２０に用いられる視標シート２２の一例を示し、（Ａ）は視標シートの表側の面、（Ｂ）は視標シートの裏側の面である。本実施形態の操作装置２０は、視標シート２２を装着可能な装着面２４を有している。装着面２４には、視標シート２２を介して操作者が操作可能な複数のスイッチ２８が設けられている。操作者は、視標シート２２を装着面２４に装着してから操作装置２０を利用する。スイッチ２８は、操作者が視標シート２２を介して操作した動作を検出するものであり、指やペンなどで圧力を加えて入力した情報を検出することができ、複数のスイッチ２８によって、どの位置のスイッチ２８が作動したかを検出することができる。スイッチ２８の種類としては特に限定されるものではなく、ボタンや圧力センサなどを利用して入力した情報を検出する。また、装着面２４にあるスイッチ２８は装着面２４より突出していない方が、視標シート２２が視標面に装着されやすくなるので好ましい。
【００１８】
図３、図５に示す視標シート２２には、ランドルト環からなる視標の一覧表を例示している。視標シート２２には、視標表示部５０に表示させる視標の一覧表、すなわち視標表示部５０に表示可能なすべての視標があらかじめ印刷などによって記載されている。視標の一覧表に記載される視標はランドルト環、ひらがな、カタカナ、アルファベットなどの文字、絵、またはこれらが混在していてもよい。また、配置だけが異なる同種の視標の一覧表であってもよい。これらの視標により測定できる視力は、従来型の視力検査装置のような０．１〜２．０だけに限定されなく、０．１未満も測定できるものであってもよい。その他にも、視標シート２２には、視標表示部５０における動作を指示するコマンドのような記載があってもよい。
【００１９】
操作者は、視標シート２２に記載された視標や動作指示のコマンドなどの中からいずれかを選択する。そして、選択して入力された信号が操作装置２０から制御部４０へ送られる。送られた信号に応じて、制御部４０は視標表示部５０に表示させる視標や背景を制御し、操作者が選択して指示した視標の表示領域を明るくする。また、動作指示のコマンドが記載されていることにより、従来型の視力検査装置と同じ操作ができ、例として、同視力値の視標全部を指定する横一列表示、０．１〜２．０の視標を指定する縦一列表示ができる。また、表示領域と背景とのコントラストの調整や表示領域や背景の色の調整ができるようにしてもよい。
【００２０】
本実施形態の操作装置２０は、操作者がどの視標シート２２を介して操作しているかという、各視標シート２２を識別する識別部２６を有し、視標シート２２を区別することができる。操作装置２０にある識別部２６とスイッチ２８とにより、どの視標シート２２のどの位置のスイッチ２８が操作されたかを操作装置２０は認識でき、操作者が指定した視標や動作を信号に変換して、制御部４０に送ることができる。制御部４０は、操作装置２０からの信号情報と、信号に応じて視標表示部５０に表示させる視標や動作を記憶していて、視標表示部５０を制御することができる。
【００２１】
本実施形態の操作装置２０は、視標シート２２の着脱によって、視標表示部５０に表示される視標を変更できる。視標シート２２を装着面２４に装着して識別部２６に視標シート２２が識別されると、視標シート２２に記載された視標が視標表示部５０に表示される。視標シート２２の識別のタイミングは、操作装置２０によって制御することが可能である。視標シート２２を交換して識別部２６に別の視標シート２２が識別された時点で、視標表示部５０に表示させる視標および視標の一覧表を変更できるように設定してもよい。また、操作装置２０にあるいずれかのスイッチ２８を操作して視標シート２２を識別させるようにしてもよく、識別用のスイッチ２８を設けて識別させてもよく、特に限定されない。視標シート２２が識別された後は、視標表示部５０に視標の一覧表が表示されて、さらに視標が選択された状態で表示させることも可能である。また、これとは異なり、どの視標も選択されていない状態、すなわち点灯されていない状態の視標の一覧表が視標表示部５０に表示されるようにしてもよい。また、視標シート２２を装着面２４に装着していない場合に視標シート識別させるスイッチ２８を操作すれば、視標表示部５０に視標を表示させないこともできる。視標シート２２を交換するだけで被検者に合わせて判読させる視標の種類を容易に瞬時に変更できるため、被検者が判別しやすい視標をすぐに見せられ、さらに視標の種類が異なる複数台の視力検査装置を設けなくてもよく、省スペースとなる。
【００２２】
また、操作装置２０には視標の一覧表があり、視標表示部５０に表示可能なすべての視標が記載されているので、全体的な視標の配置が覚えやすく、操作装置２０と視標表示部５０とを連動させ、同じ視力の同じ形状の視標を表示してしまうことが少なくなる。さらに、従来型の使い慣れた視力検査装置のように、操作者が操作できるとともに、被検者が違和感をもたずに視力検査ができる。
【００２３】
視標シート２２に記載された視標の一覧表は視標表示部５０の視標面５２にすべて表示させることができ、すべての視標を一度に表示させることもできる。他にも視標シート２２に記載された視標の一覧表の配置と同じ配置で視標表示部５０に表示させることができる。また、０．１以下などの低い視力を測定するときに表示する大きい視標などは、その視標の一覧表の一部だけを表示させてもよい。０．１〜２．０に限定して従来型のような表示にしてもよく、複数個の視標を同時に表示できる。また、視標面５２の大きさに合わせて表示させる視標の数を制限してもよい。
【００２４】
図４に示すように、操作装置２０の識別部２６としては、フォトセンサを用いることができる。また、図５（Ｂ）に示すように、操作装置２０のフォトセンサが視標シート２２を識別するために、視標シート２２には、フォトセンサ用パターン３０が設けられていてもよい。フォトセンサ用パターン３０は各視標シート２２で異なるものであり、例えば、白または黒で塗りつぶされた領域が組み合わされて形成された幾何学模様であり、領域としては線状、四角形状などのものが挙げられる。図５に示す一例では、６つの四角形状の領域が組み合わされて１つのフォトセンサ用パターン３０となっている。制御部４０は、各視標シート２２に対応するフォトセンサ用パターン３０の種類と、フォトセンサ用パターン３０に対応して視標表示部５０に表示させる視標の種類や一覧表を記憶する記憶部４２を有し、視標を視標表示部５０に表示させる出力部４４を有している。そして、制御部４０は、記憶されたフォトセンサ用パターン３０から該当するものを抽出し、抽出されたフォトセンサ用パターン３０を基に視標表示部５０に表示させる視標を抽出し、視標を視標表示部５０に表示させる。
【００２５】
フォトセンサ用パターン３０が設けられる視標シート２２上の位置は、特に限定されるものではないが、視標シート２２に記載され、視標表示部５０に表示させる視標の一覧表がある面を表とすれば、フォトセンサ用パターン３０はその裏に設ければよい。また、この裏面を操作装置２０の装着面２４と向かい合うようにすればよい。これにより、操作装置２０のフォトセンサにフォトセンサ用パターン３０が識別されやすくなる。また、フォトセンサ用パターン３０が識別された時点で、視標表示部５０に表示させる視標および視標の一覧表を変更するように、制御部４０が制御してもよい。フォトセンサ用パターン３０と識別部２６の位置はすぐ近くにあることが好ましく、どちらか一方の位置に合わせてフォトセンサ用パターン３０または識別部２６を設ければよい。フォトセンサ用パターン３０が視標シート２２に設けられ、記載されていたとしても視標シート２２のような薄いものでも厚さに影響を与えないので、反対面である視標の一覧表が記載されている面は凸凹せず、操作がしやすい。
【００２６】
視標シート２２は、装着面２４に対して吸着可能に設けられていて、視標が記載された面とは反対の面を吸着させて使用する。視標シート２２は装着面２４に吸着されるように加工されていてもよく、装着面２４も吸着しやすいように加工してもよい。視標シート２２が吸着されて装着面２４全体に吸着されることで視標シート２２を識別しやすくなり、操作者の操作がスイッチ２８によって検出されやすい。視標シート２２は吸着可能であるので、金具、クリップなどの固定具を外す必要がなく、固定する必要もないので、取り外しやすく交換しやすい。また、視標シート２２が吸着されているので、装着面２４を水平以外にも斜めや垂直において操作者が操作しやすい状態に操作装置２０を設置できる。
【００２７】
視標の一覧表は視標シート２２の片面もしくは両面にあってもよく、両面にある場合はフォトセンサ用のパターンも両面に設ければよい。この場合、視標シート２２が両面でも使用できるように操作装置２０の装着面２４に設けられた複数のスイッチ２８の位置、識別部２６の位置を調整すればよい。また、操作面は平面を有するパネルであることが好ましく、フォトセンサに対応できる光が透過する透明なパネルを用いることが好ましい。
【００２８】
本実施形態の操作装置２０の駆動にはバッテリーやＡＣアダプタを用いてもよい。また、視標表示部５０の視標面５２は、パソコンやテレビで用いられるディスプレイを用いることが好ましく、液晶製のディスプレイを用いることが好ましい。このようなディスプレイを用いても、従来型の光を背面から照射し、明るくして区別する視力検査装置のように、視標シート２２に記載された視標の一覧表をディスプレイに表示させることができ、０．１〜２．０の視力を測定する視標を表示させることができる。また、視標シート２２を変えるだけで、表示される視標の一覧表を変えやすい。
【００２９】
視標シート２２はシート状であれば特に形状は限定されないが、視標シート２２を装着面２４に装着できるものであればよい。また、図５に示すように、視標シート２２の平面の形状は四角形に限定されるものではなく、切り込みや角部を切断して上下左右、裏表が区別できるようにしてもよい。
【００３０】
視標シート２２に記載される１つの視標の大きさは、操作しやすい大きさであることが好ましく、対応する操作面のスイッチ２８大きさは、視標シート２２状の操作が認識できる範囲に合わせて設ければよい。本実施形態の視力検査装置１０に用いられる視標シート２２は、複数の視標がすべて記載され、さらには、従来型の視力検査装置のような視標の一覧表が記載されていてもよい。これらのことから、本実施形態の操作装置２０は手に持って握ることができるリモコン型よりは、やや大きくなる。
【符号の説明】
【００３１】
１０  視力検査装置
２０  操作装置
２２  視標シート
２４  装着面
２６  識別部
２８  スイッチ
３０  フォトセンサ用パターン
４０  制御部
４２  記憶部
４４  出力部
５０  視標表示部
５２  視標面
【図２】
2016067843.tif 000003
【図３】
2016067843.tif 000004
【図４】
2016067843.tif 000005
【図５】
2016067843.tif 000006
【図１】
2016067843.tif 000007